(57)【特許請求の範囲】
【請求項１】
帯電した粉末状の現像剤を供給対象に対して供給するように構成された、現像剤供給装置において、
主走査方向と平行な円柱面状の周面であって前記現像剤を担持可能な現像剤担持面を有する円柱状のローラ本体と、このローラ本体の前記主走査方向における両端から外側に突出するように設けられたシャフトと、を備えたローラ状部材であって、前記シャフトを中心とした回転駆動によって前記現像剤担持面が前記主走査方向と直交する方向に移動することで当該現像剤担持面上に担持された前記現像剤を当該現像剤担持面と前記供給対象とが対向する現像剤供給位置まで搬送するように構成された、現像剤担持部材と、
前記主走査方向と直交する断面による側断面視にて略Ｕ字状に形成された板状部材であるケーシング本体と、このケーシング本体の前記主走査方向における両端側に設けられた平板状部材であるサイドフレームと、を備えていて、前記ケーシング本体と前記サイドフレームとによって囲まれた空間の内部に形成された現像剤収容部に前記現像剤を収容するとともに前記ケーシング本体の略Ｕ字形状における開口部にて前記サイドフレームにより前記現像剤担持部材を回転可能に支持するように構成された、ケーシングと、
前記主走査方向に沿った長手方向を有するとともに当該主走査方向と交差する方向に沿って複数配列された搬送電極を備えていて、これら複数の搬送電極への多相交流電圧の印加に伴って発生する進行波状の電界により前記現像剤を前記現像剤供給位置よりも前記現像剤担持面の移動方向における上流側の担持位置に向けて搬送するように構成され、前記担持位置の近傍にて前記現像剤担持面上に前記現像剤を担持させるために前記ケーシング内に収容され且つ前記担持位置にて前記現像剤担持面と対向配置された、電界搬送基板と、
前記ケーシング本体と前記サイドフレームとによって囲まれた前記空間の内部に収容されていて、外側表面にて前記電界搬送基板を支持しつつ前記現像剤収容部から前記担持位置に向けて延出するように設けられた、基板支持部材と、
前記ローラ本体の前記主走査方向における端部と前記ケーシングとの隙間を埋めることで当該隙間からの前記現像剤の外部への漏出を抑制するために、前記現像剤担持面の前記主走査方向における端部と対向する前記ケーシングの部分であるケーシング側対向部分と、前記現像剤担持面の前記主走査方向における前記端部と対向する前記基板支持部材の部分である支持部材側対向部分と、に跨るように配置されていて、且つ前記現像剤担持面の前記端部と摺動するように設けられた、サイドシール部材と、
を備えたことを特徴とする、現像剤供給装置。
【請求項２】
請求項１に記載の、現像剤供給装置であって、
側面視にて前記ローラ本体と同軸的に配置されたサイドシール支持リブが、前記サイドフレームの内壁面から内側に突出するように設けられ、
前記サイドシール支持リブは、前記現像剤担持面の前記主走査方向における前記端部と対向するリブ表面を有し、
前記サイドシール部材は、前記リブ表面と、前記支持部材側対向部分と、に跨るように配置されたことを特徴とする、現像剤供給装置。
【請求項３】
請求項２に記載の、現像剤供給装置であって、
前記支持部材側対向部分と、前記サイドシール支持リブとは、前記現像剤担持面の前記移動方向に沿って隣接するように配置されたことを特徴とする、現像剤供給装置。
【請求項４】
請求項３に記載の、現像剤供給装置であって、
前記支持部材側対向部分と前記現像剤担持面とのギャップが、前記サイドシール支持リブと当該現像剤担持面とのギャップと等しくなるように、前記サイドシール支持リブ及び前記基板支持部材が配置されたことを特徴とする、現像剤供給装置。
【請求項５】
請求項１〜請求項４のうちのいずれか１項に記載の、現像剤供給装置であって、
前記サイドシール部材は、前記電界搬送基板の前記主走査方向における前記現像剤を有効に搬送する領域の外側に設けられたことを特徴とする、現像剤供給装置。
【請求項６】
請求項１〜請求項５のうちのいずれか１項に記載の、現像剤供給装置であって、
前記電界搬送基板は、
前記支持部材側対向部分に固定された第一固定部と、
複数の前記搬送電極の配列方向における端部である第二固定部と、
の間に張力が付与されるように、前記基板支持部材によって支持されたことを特徴とする、現像剤供給装置。
【請求項７】
請求項１〜請求項６のうちのいずれか１項に記載の、現像剤供給装置であって、
前記現像剤担持部材は、略円筒状の軸受を介して前記サイドフレームに装着され、
前記基板支持部材は、前記軸受と当接するように突設された突起部を備え、
前記サイドシール部材には、前記突起部が貫通する切欠部が形成されたことを特徴とする、現像剤供給装置。
【請求項８】
請求項１〜請求項７のうちのいずれか１項に記載の、現像剤供給装置であって、
前記現像剤担持部材は、前記現像剤収容部の上方に配置され、
前記電界搬送基板は、前記現像剤収容部から前記担持位置に向けて前記現像剤を上方に搬送するように設けられたことを特徴とする、現像剤供給装置。
【請求項９】
請求項８に記載の、現像剤供給装置であって、
前記担持位置を経た前記現像剤を前記現像剤収容部とは異なる位置にて収容するための補助現像剤収容部が、前記現像剤収容部と隣接するように設けられていて、
前記電界搬送基板は、前記担持位置を経た前記現像剤を前記補助現像剤収容部に向かって搬送するように、側断面視にて逆Ｕ字状に設けられたことを特徴とする、現像剤供給装置。
【発明の詳細な説明】
【技術分野】
【０００１】
本発明は、帯電した粉末状の現像剤を供給対象に対して供給するように構成された、現像剤供給装置に関する。
【背景技術】
【０００２】
この種の装置として、例えば、特開２００８−７０８０３号公報等に開示されているものが知られている。かかる公報に開示された装置は、感光体ドラムと、現像ローラと、現像剤電界搬送手段と、を備えている。
【０００３】
前記現像ローラは、所定の現像領域にて前記感光体ドラムと対向するように設けられている。この現像ローラは、帯電した現像剤を担持するための現像剤担持面を有している。
【０００４】
前記現像剤電界搬送手段は、前記現像領域よりも前記現像剤担持面の移動方向（前記現像ローラの回転による当該ローラの周面の移動方向）における上流側にて、当該現像剤担持面と所定の距離を隔てて対向するように配置されている。この現像剤電界搬送手段は、複数の搬送電極を備えていて、これら複数の搬送電極への多相交流電圧である搬送バイアスの印加に伴って発生する進行波状の電界によって、前記現像剤を搬送するように構成されている。
【０００５】
かかる構成においては、前記現像剤電界搬送手段にて発生する進行波状の電界によって搬送された前記現像剤は、前記現像剤電界搬送手段と前記現像剤担持面とが対向する位置にて、当該現像剤担持面に付着する。すなわち、かかる位置にて、前記現像剤担持面上に、前記現像剤が担持される。
【０００６】
前記現像剤担持面上に担持された前記現像剤は、前記現像ローラの回転による当該現像剤担持面の移動によって前記現像領域に達することで、静電潜像の現像に供される。これにより、前記感光体ドラムの周面である静電潜像担持面上にて、前記現像剤が、前記静電潜像に対応して画像状に配列した状態で付着する。すなわち、前記静電潜像担持面上の前記静電潜像が、前記現像剤によって現像される。これにより、前記静電潜像担持面上に、前記現像剤による画像が形成される。
【発明の概要】
【発明が解決しようとする課題】
【０００７】
この種の装置において、現像剤の外部への漏出を可及的に抑制することが求められている。本発明は、かかる課題に対処するためになされたものであって、その特徴は、下記の通りの構成を備えたことにある。
【課題を解決するための手段】
【０００８】
本発明の現像剤供給装置は、帯電した粉末状の現像剤を供給対象に対して供給するように構成されている。この現像剤供給装置は、現像剤担持部材と、ケーシングと、電界搬送基板と、基板支持部材と、サイドシール部材と、を備えている。
【０００９】
前記現像剤担持部材は、ローラ状部材であって、ローラ本体とシャフトとを備えている。前記ローラ本体は、円柱状の部材であって、前記現像剤を担持可能な現像剤担持面を有している。前記現像剤担持面は、前記ローラ本体の円柱面状の周面であって、主走査方向と平行に設けられている。前記シャフトは、前記ローラ本体の前記主走査方向における両端から外側に突出するように設けられている。そして、前記現像剤担持部材は、前記シャフトを中心とした回転駆動によって、前記現像剤担持面が前記主走査方向と直交する方向に移動することで、当該現像剤担持面上に担持された前記現像剤を現像剤供給位置まで搬送するように構成されている。ここで、前記現像剤供給位置は、前記現像剤担持面と前記供給対象とが対向する位置である。
【００１０】
前記ケーシングは、ケーシング本体と、サイドフレームと、を備えている。前記ケーシング本体は、前記主走査方向と直交する断面による側断面視にて、略Ｕ字状に形成された、板状部材である。前記サイドフレームは、前記ケーシング本体の前記主走査方向における両端側に設けられた、平板状部材である。そして、前記ケーシングは、前記ケーシング本体と前記サイドフレームとによって囲まれた空間の内部に形成された現像剤収容部に前記現像剤を収容するように構成されている。また、前記ケーシングは、前記ケーシング本体の略Ｕ字形状における開口部にて、前記サイドフレームにより前記現像剤担持部材を回転可能に支持するように構成されている。
【００１１】
前記電界搬送基板は、前記主走査方向に沿った長手方向を有する、複数の搬送電極を備えている。複数の前記搬送電極は、前記主走査方向と交差する方向に沿って配列されている。前記電界搬送基板は、複数の前記搬送電極への多相交流電圧の印加に伴って発生する進行波状の電界により、前記現像剤を、担持位置に向けて搬送するように構成されている。ここで、前記担持位置は、前記現像剤担持部材の回転による前記現像剤担持面の移動方向における、前記現像剤供給位置よりも上流側に設けられている。また、前記電界搬送基板は、前記担持位置の近傍にて前記現像剤担持面上に前記現像剤を担持させるために、前記ケーシング内に収容され、且つ前記担持位置にて前記現像剤担持面と対向配置されている。
【００１２】
前記基板支持部材は、前記ケーシング本体と前記サイドフレームとによって囲まれた前記空間の内部に収容されていて、前記現像剤収容部から前記担持位置に向けて延出するように設けられている。前記電界搬送基板は、前記基板支持部材の外側表面に支持されている。
【００１３】
前記サイドシール部材は、前記ローラ本体の前記主走査方向における端部と、前記ケーシングと、の隙間を埋めることで、当該隙間からの前記現像剤の外部への漏出を抑制するための部材である。このサイドシール部材は、ケーシング側対向部分と支持部材側対向部分とに跨るように配置されていて、前記現像剤担持面の端部と摺動するように設けられている。ここで、前記ケーシング側対向部分は、前記現像剤担持面の前記主走査方向における前記端部と対向する、前記ケーシングの部分である。また、前記支持部材側対向部分は、前記現像剤担持面の前記主走査方向における前記端部と対向する、前記基板支持部材の部分である。
【００１４】
上述の構成において、側面視（あるいは側断面視）にて前記ローラ本体と同軸的に配置されたサイドシール支持リブが、前記サイドフレームの内壁面から内側に突出するように設けられていてもよい。この場合、前記サイドシール支持リブは、前記ケーシング側対向部分を構成する部材であって、前記現像剤担持面の前記主走査方向における前記端部と対向するリブ表面を有している。そして、前記サイドシール部材は、前記リブ表面と、前記支持部材側対向部分と、に跨るように配置されている。
【００１５】
前記支持部材側対向部分と、前記サイドシール支持リブとは、前記現像剤担持面の前記移動方向に沿って隣接するように配置されていてもよい。
【００１６】
前記支持部材側対向部分と前記現像剤担持面とのギャップが、前記サイドシール支持リブと当該現像剤担持面とのギャップと等しくなるように、前記サイドシール支持リブ及び前記基板支持部材が配置されていてもよい。
【００１７】
前記サイドシール部材は、前記電界搬送基板の前記主走査方向における前記現像剤を有効に搬送する領域の外側に設けられていてもよい。
【００１８】
前記電界搬送基板は、前記支持部材側対向部分に固定された第一固定部と、複数の前記搬送電極の配列方向における端部である第二固定部と、の間に張力が付与されるように、前記基板支持部材によって支持されていてもよい。
【００１９】
前記現像剤供給装置は、以下のように構成されていてもよい：前記現像剤担持部材は、略円筒状の軸受を介して前記サイドフレームに装着されている。前記基板支持部材は、前記軸受と当接するように突設された突起部を備えている。前記サイドシール部材には、前記突起部が貫通する切欠部が形成されている。
【００２０】
前記現像剤供給装置は、以下のように構成されていてもよい：前記現像剤担持部材は、前記現像剤収容部の上方に配置されている。前記電界搬送基板は、前記現像剤収容部から前記担持位置に向けて前記現像剤を上方に搬送するように設けられている。
【００２１】
前記担持位置を経た前記現像剤を前記現像剤収容部とは異なる位置にて収容するための補助現像剤収容部が、前記現像剤収容部と隣接するように設けられていてもよい。この場合、前記電界搬送基板は、前記現像剤収容部から前記担持位置に向けて前記現像剤を上方に搬送するとともに、当該担持位置を経た前記現像剤を前記補助現像剤収容部に向かって下方に搬送するように、側断面視にて逆Ｕ字状に設けられている。
【発明の効果】
【００２２】
かかる構成を備えた本発明の現像剤供給装置においては、前記電界搬送基板によって、前記現像剤が、当該電界搬送基板と前記現像剤担持面とが対向する前記担持位置に向けて搬送される。この担持位置の近傍にて、前記現像剤担持面上に前記現像剤が担持される。
【００２３】
前記現像剤を担持した前記現像剤担持面は、前記現像剤担持部材の前記シャフトを中心とした回転駆動によって、前記主走査方向と直交する方向に移動し、前記供給対象と対向する前記現像剤供給位置に達する。これにより、当該現像剤供給位置にて、前記現像剤が前記供給対象に対して供給される。
【００２４】
このとき、前記現像剤担持面の前記主走査方向における端部と対向する前記ケーシングの部分である前記ケーシング側対向部分と、前記現像剤担持面の前記主走査方向における前記端部と対向する前記基板支持部材の部分である前記支持部材側対向部分と、に跨るように設けられた、前記サイドシール部材により、前記ローラ本体の前記主走査方向における前記端部と前記ケーシングとの隙間が埋められる。そして、前記サイドシール部材は、前記現像剤担持面の前記主走査方向における前記端部と摺動する。よって、かかる構成によれば、上述の隙間からの、前記現像剤の外部への漏出が、良好に抑制される。
【００２５】
ここで、側面視にて前記ローラ本体と同軸的に配置された前記サイドシール支持リブが、前記サイドフレームの内壁面から内側に突出するように設けられている場合、前記現像剤担持面の前記主走査方向における前記端部と対向する前記サイドシール支持リブの表面である前記リブ表面と、前記支持部材側対向部分と、に跨るように、前記サイドシール部材が配置される。よって、かかる構成によれば、前記サイドシール部材の設置が、簡略に行われ得る。
【００２６】
また、前記支持部材側対向部分と前記サイドシール支持リブとが、前記現像剤担持面の前記移動方向に沿って隣接するように配置される（特に、前記支持部材側対向部分と前記現像剤担持面とのギャップが、前記サイドシール支持リブと当該現像剤担持面とのギャップと等しくなるように、前記サイドシール支持リブ及び前記基板支持部材が配置される）ことで、前記サイドシール部材が、円柱面状の前記現像剤担持面に沿った、側断面視にて滑らかな形状にて支持される。これにより、前記サイドシール部材と前記現像剤担持面との摺動部における密着性が向上する。よって、かかる構成によれば、上述の隙間からの、前記現像剤の外部への漏出が、より良好に抑制される。
【００２７】
また、前記サイドシール部材が、前記電界搬送基板の前記主走査方向における前記現像剤を有効に搬送する領域の外側に設けられている場合、当該サイドシール部材と前記現像剤担持面との摺動部に対する前記現像剤の流入量を可及的に少なくすることができる。よって、かかる構成によれば、上述の隙間からの、前記現像剤の外部への漏出が、よりいっそう良好に抑制される。
【００２８】
また、前記電界搬送基板が、前記支持部材側対向部分に対向する前記第一固定部にて当該支持部材側対向部分に固定されるとともに、複数の前記搬送電極の配列方向における端部である前記第二固定部との間に張力が付与されるように、前記基板支持部材によって支持されている場合、当該電界搬送基板における弛みの発生が良好に抑制される。
【００２９】
また、前記現像剤担持部材が略円筒状の前記軸受を介して前記サイドフレームに装着されていて、前記基板支持部材の前記突起部が前記サイドシール部材の前記切欠部を貫通して前記軸受と当接している場合、前記電界搬送基板と前記現像剤担持部材（前記現像剤担持面）との位置決めが、簡易且つ確実に行われ得る。
【図面の簡単な説明】
【００３０】
【図１】本発明の一実施形態が適用されたレーザープリンタの概略構成を示す側面図である。
【図２】図１に示されている、本実施形態に係るトナー供給装置を拡大した側断面図である。
【図３】図２に示されているトナー供給装置の一部分解斜視図である。
【図４】図２に示されているトナー供給装置の分解斜視図である。
【図５】図２に示されているトナー供給装置の一部分解斜視図である。
【図６】図２に示されているトナー供給装置の一部分解斜視図である。
【図７】図２に示されている搬送基板ユニットの正面図である。
【図８】図２に示されているトナー供給装置の一変形例の概略構成を示す分解側面図（一部断面図）である。
【図９】図２に示されているトナー供給装置の他の変形例の概略構成を示す分解斜視図である。
【発明を実施するための形態】
【００３１】
以下、本発明の実施形態について、図面を参照しつつ説明する。なお、本実施形態に対して施され得る各種の変更（modification）は、当該実施形態の説明中に挿入されると、一貫した実施形態の説明の理解が妨げられるので、末尾にまとめて記載されている。
【００３２】
＜レーザープリンタの構成＞
図１は、本発明の一実施形態が適用されたレーザープリンタ１の概略構成を示す側面図である。図１を参照すると、レーザープリンタ１は、用紙搬送機構２と、感光体ドラム３と、帯電器４と、スキャナーユニット５と、トナー供給装置６と、を備えている。レーザープリンタ１内に備えられた、図示しない給紙トレイには、シート状の用紙Ｐが積み重ねられた状態で収容されている。用紙搬送機構２は、用紙Ｐを所定の用紙搬送経路ＰＰに沿って搬送するように構成されている。
【００３３】
感光体ドラム３の周面には、静電潜像担持面ＬＳが形成されている。この静電潜像担持面ＬＳは、主走査方向（図中ｚ軸方向）と平行な円筒面であって、電位分布による静電潜像が形成されるとともに、当該静電潜像に対応した位置にてトナーを担持するようになっている。なお、本実施形態においては、トナーは、黒色、正帯電性の、非磁性一成分乾式現像剤であるものとする。感光体ドラム３は、主走査方向と平行な軸を中心として図中矢印で示されている方向（時計回り）に回転駆動されることで、主走査方向と直交する副走査方向に沿って静電潜像担持面ＬＳが移動するように構成されている。
【００３４】
帯電器４は、静電潜像担持面ＬＳと対向するように配置されている。この帯電器４は、コロトロン型あるいはスコロトロン型の帯電器であって、静電潜像担持面ＬＳを一様に正帯電させるように構成されている。
【００３５】
スキャナーユニット５は、画像データに基づいて変調された（画素の有無によって発光のＯＮ／ＯＦＦが制御された）所定の波長帯域のレーザービームＬＢを生成し、生成したレーザービームＬＢを静電潜像担持面ＬＳにおけるスキャン位置ＳＰにて結像させるとともに、その結像位置を主走査方向に沿って等速度にて移動させる（走査する）ように構成されている。ここで、スキャン位置ＳＰは、帯電器４よりも、感光体ドラム３の回転方向（図１における矢印で示されている方向：時計回り）における下流側の位置に設けられている。
【００３６】
本発明の現像剤供給装置としてのトナー供給装置６は、静電潜像担持面ＬＳと対向するように、感光体ドラム３の下方に配置されている。トナー供給装置６は、現像位置ＤＰにて、トナーを帯電した状態で感光体ドラム３（静電潜像担持面ＬＳ）に供給するように構成されている。ここで、現像位置ＤＰとは、トナー供給装置６が静電潜像担持面ＬＳに帯電したトナーを供給するために静電潜像担持面ＬＳと最近接しつつ対向する位置である。このトナー供給装置６の詳細な構成については後述する。
【００３７】
次に、レーザープリンタ１の各部の具体的な構成について、より詳細に説明する。
【００３８】
用紙搬送機構２は、一対のレジストローラ２１と、転写ローラ２２と、を備えている。レジストローラ２１は、用紙Ｐを所定のタイミングにて感光体ドラム３と転写ローラ２２との間に向けて送り出すように構成されている。転写ローラ２２は、転写位置ＴＰにて用紙搬送経路ＰＰを隔てて静電潜像担持面ＬＳと対向するように配置されていて、図中矢印で示されている方向（反時計回り）に回転駆動されるようになっている。この転写ローラ２２は、静電潜像担持面ＬＳ上に付着したトナーを用紙Ｐに転写させるための所定の転写バイアスが印加されるようになっている。
【００３９】
＜＜トナー供給装置＞＞
図２は、図１に示されている、本実施形態に係るトナー供給装置６を拡大した側断面図（主走査方向を法線とする面による断面図）である。図２を参照すると、本実施形態のトナー供給装置６は、ケーシング６１と、現像ローラ６２と、搬送基板ユニット６３と、回収ローラ６４と、剥離ブレード６５と、トナー攪拌循環部６６と、を備えている。
【００４０】
＜＜＜ケーシング＞＞＞
ケーシング６１は、前後方向（図中ｘ軸方向）に沿って互いに隣接する上流側収容部６１０ａ（底部の起動部６１０ａ１を含む）と下流側収容部６１０ｂとを内部に有する箱状部材であって、上流側収容部６１０ａ及び下流側収容部６１０ｂの内側にて粉末状のトナーを収容可能に構成されている。
【００４１】
ケーシング６１は、側断面視にて上方に開口する略Ｕ字状に形成された、主走査方向と平行な板状部材である、ケーシング本体６１１を有している。ケーシング本体６１１の底板をなすボトムフレーム６１１ａは、側断面視にて略Ｗ字状に形成されている。すなわち、ボトムフレーム６１１ａの前後方向における中央寄りの位置には、上方に向けて突出する仕切突起６１１ａ１が設けられている。
【００４２】
ボトムフレーム６１１ａの、仕切突起６１１ａ１を含む下流側収容部６１０ｂ側の部分は、主走査方向と平行な中心軸線を有し上方に開口する略半円筒状に形成されている。ボトムフレーム６１１ａの上面であって、仕切突起６１１ａ１よりも上流側収容部６１０ａ側には、係合溝６１１ａ２が、主走査方向に沿って設けられている。係合溝６１１ａ２は、搬送基板ユニット６３の底部と係合するように形成されている。ボトムフレーム６１１ａの、係合溝６１１ａ２よりも上流側収容部６１０ａ側の部分は、上流側収容部６１０ａの底部の起動部６１０ａ１を、主走査方向と平行な中心軸線を有する側断面にて略半円柱状の空間となすように、側断面視にて略円弧状に形成されている。
【００４３】
ボトムフレーム６１１ａの、上流側収容部６１０ａ側の上端部から上方に延出するように、供給側フレーム６１１ｂが設けられている。供給側フレーム６１１ｂには、基板ユニット当接突起６１１ｂ１が、搬送基板ユニット６３に向かって延出するように設けられている。具体的には、一対の基板ユニット当接突起６１１ｂ１が、搬送基板ユニット６３の主走査方向における両端部と、上流側収容部６１０ａ側にて当接するように、供給側フレーム６１１ｂの主走査方向における両端部の内壁面にて突設されている。また、ボトムフレーム６１１ａの、下流側収容部６１０ｂ側の上端部から上方に延出するように、回収側フレーム６１１ｃが設けられている。
【００４４】
図３は、図２に示されているトナー供給装置６の一部分解斜視図（主走査方向における中央寄りの位置にて主走査方向と直交する平面にて切断した場合の一方のみを示す図）である。図４は、図２に示されているトナー供給装置６の分解斜視図（ケーシング６１の組み立ての様子を示す図）である。図５は、図２に示されているトナー供給装置６の一部分解斜視図である。
【００４５】
図２〜図５を参照すると、ボトムフレーム６１１ａ、供給側フレーム６１１ｂ、及び回収側フレーム６１１ｃからなる、側断面視にて略Ｕ字状のケーシング本体６１１の主走査方向における両端側を塞ぐように、一対のサイドフレーム６１２が設けられている。サイドフレーム６１２は、平板状に形成されていて、主走査方向と直交するように配置されている。そして、ケーシング本体６１１と一対のサイドフレーム６１２とで囲まれた空間は、搬送基板ユニット６３によって、上流側収容部６１０ａと下流側収容部６１０ｂとに仕切られている。また、ケーシング本体６１１及び一対のサイドフレーム６１２の上端によって形成された開口部は、上方の感光体ドラム３に向かって上方に開口するように設けられている。
【００４６】
本実施形態においては、図３及び図４に示されているように、回収側フレーム６１１ｃと一対のサイドフレーム６１２とは、一体（分離不能）に形成されている。具体的には、回収側フレーム６１１ｃ及び一対のサイドフレーム６１２は、合成樹脂によって一体成形されていて、その内部に搬送基板ユニット６３が収容されるようになっている。そして、搬送基板ユニット６３は、回収側フレーム６１１ｃ及び一対のサイドフレーム６１２からなる基板ユニット収容フレームに対して収容された状態で、当該基板ユニット収容フレームにボトムフレーム６１１ａ及び供給側フレーム６１１ｂを装着することで、ケーシング６１内に収容され且つ装着されるようになっている。
【００４７】
サイドフレーム６１２の内壁面には、ケーシング６１内における搬送基板ユニット６３の位置決めのための、ガイド溝６１２ａ１及び基板ユニット当接突起６１２ａ２が形成されている。ガイド溝６１２ａ１は、上述の基板ユニット収容フレームに対する搬送基板ユニット６３の装着ガイド及び搬送基板ユニット６３と現像ローラ６２との位置決めを行うための溝である。このガイド溝６１２ａ１は、サイドフレーム６１２の上部であって前後方向における中央寄りの位置に設けられた側面視にて円状の先端部から、供給側フレーム６１１ｂ側に向けて、斜め下方に延出するように設けられている。
【００４８】
基板ユニット当接突起６１２ａ２は、サイドフレーム６１２の下部であって、前後方向における中央寄りの位置から回収側フレーム６１１ｃ側に亘って設けられている。この基板ユニット当接突起６１２ａ２は、前後方向における中央寄りの位置にて上下方向に沿って設けられた端縁が搬送基板ユニット６３の主走査方向における両端部と当接するように、主走査方向に沿って内側に向けて突設されている。
【００４９】
サイドフレーム６１２の上端部には、現像ローラ支持穴６１２ｂが、サイドフレーム６１２を厚さ方向（主走査方向）に貫通するように形成されている。現像ローラ支持穴６１２ｂは、現像ローラ６２を装着するとともに回転可能に支持するための穴あるいは切欠部であって、ガイド溝６１２ａ１の上端部の上方にて、上方に向けて開口するように設けられている。
【００５０】
サイドフレーム６１２の上部における内壁面から、主走査方向に沿って内側に向かって延出するように、板状の突出部あるいは突起であるサイドシール支持リブ６１２ｃが立設されている。サイドシール支持リブ６１２ｃは、ガイド溝６１２ａ１の上方且つ上流側収容部６１０ａ側であって、現像ローラ支持穴６１２ｂの斜め下方に設けられている。サイドシール支持リブ６１２ｃは、現像ローラ６２の回転によるトナー担持面ＴＣＳ（現像ローラ６２の周面：詳細は後述する）の移動方向における、トナー担持位置ＴＣＰ（詳細は後述する）よりも下流側且つ現像位置ＤＰよりも上流側にて、当該トナー担持面ＴＣＳの主走査方向における端部と対向するように配置されている。
【００５１】
サイドシール支持リブ６１２ｃの、トナー担持面ＴＣＳと対向する側の表面であるリブ表面６１２ｃ１は、側面視にて現像ローラ６２（トナー担持面ＴＣＳ）と同軸的な円弧状に形成されている。すなわち、サイドシール支持リブ６１２ｃは、リブ表面６１２ｃ１とトナー担持面ＴＣＳとの間に一定間隔のギャップが設けられるように、構成及び配置されている。具体的には、サイドシール支持リブ６１２ｃは、側面視にてトナー担持面ＴＣＳと同軸的な（同心円状の）円弧状の板状リブとして形成されている。
【００５２】
図４及び図５を参照すると、サイドフレーム６１２の上部であって、下流側収容部６１０ｂ側には、回収ローラ６４を支持するための箱状の突出部である回収ローラ支持部６１２ｄが、サイドフレーム６１２の内壁面から内側に向かって突設されている。回収ローラ支持部６１２ｄは、回収側フレーム６１１ｃに隣接するように、現像ローラ支持穴６１２ｂの斜め下方に設けられている。すなわち、回収ローラ支持部６１２ｄは、現像ローラ６２の回転中心軸線を含み主走査方向及び鉛直方向と平行な平面を挟んで、サイドシール支持リブ６１２ｃと対向するように配置されている。
【００５３】
回収ローラ支持部６１２ｄは、その側面視におけるトナー担持面ＴＣＳと対向する端縁が、トナー担持面ＴＣＳと同軸的且つリブ表面６１２ｃ１と同一曲率半径の円弧状に形成されている。すなわち、回収ローラ支持部６１２ｄの、トナー担持面ＴＣＳと対向する表面であるサイドシール固定部６１２ｄ１は、側面視にてトナー担持面ＴＣＳと一定距離のギャップ（上述のリブ表面６１２ｃ１とトナー担持面ＴＣＳとのギャップと等距離のギャップ）を形成するように設けられている。
【００５４】
回収ローラ支持部６１２ｄには、回収ローラシャフト挿通穴６１２ｄ２が、主走査方向に貫通するように形成されている。また、回収ローラ支持部６１２ｄには、回収ローラ端部シール収容穴６１２ｄ３が形成されている。回収ローラ端部シール収容穴６１２ｄ３は、トナー担持面ＴＣＳ側に向けて開口するように、且つ回収ローラシャフト挿通穴６１２ｄ２が設けられている壁面から主走査方向に沿って外側に向けて開口するように設けられている。
【００５５】
図５を参照すると、回収ローラ端部シール収容穴６１２ｄ３には、発泡スポンジからなる回収ローラ端部シール６１３が収容されている。回収ローラ端部シール６１３の主走査方向における外側には、回収ローラ軸受６１４が配置されている。回収ローラ軸受６１４は、回収ローラ端部シール６１３を収容した状態の回収ローラ端部シール収容穴６１２ｄ３を外側から塞ぐように、回収ローラ支持部６１２ｄに装着されている。
【００５６】
再び図２〜図５を参照すると、サイドフレーム６１２の下端部から主走査方向に沿って外側に突出するように、連通部６１５が形成されている。連通部６１５は、上流側収容部６１０ａの底部（起動部６１０ａ１）と下流側収容部６１０ｂの底部とを、主走査方向における両端部にて、互いに連通させるように設けられている。すなわち、連通部６１５によって、上流側収容部６１０ａの底部（起動部６１０ａ１）と下流側収容部６１０ｂの底部とが、搬送基板ユニット６３よりも主走査方向における外側にて、互いに連結されている。
【００５７】
なお、いうまでもないことであるが、一対のサイドフレーム６１２には、それぞれ、上述の、ガイド溝６１２ａ１、基板ユニット当接突起６１２ａ２、現像ローラ支持穴６１２ｂ、サイドシール支持リブ６１２ｃ、回収ローラ支持部６１２ｄ、及び連通部６１５が、それぞれ設けられている。また、一対のサイドフレーム６１２には、それぞれ、上述の、回収ローラ端部シール６１３及び回収ローラ軸受６１４が装着されている。
【００５８】
＜＜＜現像ローラ＞＞＞
図６は、図２に示されているトナー供給装置の分解斜視図である。以下、図２〜図６を参照すると、現像ローラ６２は、現像ローラ本体６２１を備えたローラ状部材であって、上述の開口部の近傍にて、ケーシング６１によって回転可能に支持されている。現像ローラ本体６２１は、円柱状の部材であって、トナーを担持可能な円柱面状の周面であるトナー担持面ＴＣＳを有している。すなわち、現像ローラ６２は、主走査方向と平行なトナー担持面ＴＣＳ上にトナーを担持可能に構成されている。そして、現像ローラ６２は、トナー担持面ＴＣＳが上述の開口部を介してケーシング６１の外部に露出するように設けられている。
【００５９】
具体的には、現像ローラ本体６２１の主走査方向における両端から外側に突出するように、現像ローラシャフト６２２が設けられている。現像ローラシャフト６２２は、現像ローラ軸受６２３を介して、サイドフレーム６１２に回転可能に支持（装着）されている。現像ローラ軸受６２３は、略円筒状の部材であって、現像ローラ支持穴６１２ｂに装着されている。そして、現像ローラ６２は、現像ローラシャフト６２２を中心とした、感光体ドラム３とは反対方向（図中矢印で示されている方向：反時計回り）の回転駆動に伴う、トナー担持面ＴＣＳの主走査方向と直交する方向の移動により、トナーを現像位置ＤＰまで搬送するように構成されている。
【００６０】
＜＜＜搬送基板ユニット＞＞＞
搬送基板ユニット６３は、電界搬送基板６３１を備えている。電界搬送基板６３１は、トナー担持位置ＴＣＰの近傍にてトナー担持面ＴＣＳ上にトナーを担持させるために、ケーシング６１内に収容され、且つトナー担持位置ＴＣＰにてトナー担持面ＴＣＳと対向配置されている。すなわち、電界搬送基板６３１は、起動部６１０ａ１に面する上流側端部６３１ａからトナー担持位置ＴＣＰに面する担持位置対向部６３１ｂに向けて上方にトナーを電界搬送するとともに、トナー担持位置ＴＣＰを通過したトナーを下流側収容部６１０ｂの底部に面する下流側端部６３１ｃに向けて下方にトナーを電界搬送するように、側断面視にて逆Ｕ字に屈曲された状態でケーシング６１の内部（前後方向における中央寄りの位置）に設けられている。
【００６１】
ここで、「トナー担持位置ＴＣＰ」は、現像位置ＤＰよりも現像ローラ６２の回転によるトナー担持面ＴＣＳの移動方向における上流側にて、トナー担持面ＴＣＳが電界搬送基板６３１と最近接しつつ対向する（搬送基板ユニット６３と現像ローラ６２とが最近接しつつ対向する）位置である。本実施形態においては、トナー担持位置ＴＣＰは、現像ローラ６２の回転中心軸線を挟んで、現像位置ＤＰとほぼ反対側に設けられている。
【００６２】
図７は、図２に示されている搬送基板ユニット６３の正面図である。図７を参照すると、電界搬送基板６３１は、主走査方向に沿った長手方向を有する複数の搬送電極６３１ｅを備えている。複数の搬送電極６３１ｅは、主走査方向と直交するトナー搬送方向ＴＴＤに沿って配列されている（トナー搬送方向ＴＴＤは、電界搬送基板６３１によってトナーが搬送される方向である）。図２及び図７を参照すると、電界搬送基板６３１は、複数の搬送電極６３１ｅへの多相交流電圧の印加に伴って発生する進行波状の電界により、起動部６１０ａ１に収容されたトナーをトナー担持位置ＴＣＰに向けて搬送するとともに、トナー担持位置ＴＣＰを通過したトナーを下流側収容部６１０ｂの底部に向けて搬送するように構成されている。
【００６３】
図２〜図４を参照すると、電界搬送基板６３１は、搬送基板支持部材６３２の外側表面に支持されている。搬送基板支持部材６３２は、その下端部がボトムフレーム６１１ａの仕切突起６１１ａ１と当接するとともに係合溝６１１ａ２に係合することで、上流側収容部６１０ａ及び下流側収容部６１０ｂの底部からトナー担持位置ＴＣＰに向けて延出するように支持されつつケーシング６１内に収容されている。
【００６４】
搬送基板支持部材６３２の、電界搬送基板６３１における上流側端部６３１ａを支持する上流側支持部６３２ａは、ボトムフレーム６１１ａの係合溝６１１ａ２よりも上流側収容部６１０ａ側の部分とともに、上流側収容部６１０ａの底部の起動部６１０ａ１を、主走査方向と平行な中心軸線を有する側断面にて略半円柱状の空間となすように、側断面視にて略円弧状の斜面を有している。
【００６５】
搬送基板支持部材６３２の、電界搬送基板６３１における担持位置対向部６３１ｂを支持する担持位置支持部６３２ｂには、トナー担持面ＴＣＳの近傍にて平坦な部分を有している。また、担持位置支持部６３２ｂは、サイドシール支持リブ６１２ｃと回収ローラ支持部６１２ｄとの間に設けられている。すなわち、担持位置支持部６３２ｂは、サイドシール支持リブ６１２ｃと、現像ローラ６２の回転によるトナー担持面ＴＣＳの移動方向に沿って隣接するように配置されている。
【００６６】
本実施形態においては、電界搬送基板６３１は、上流側支持部６３２ａ、担持位置支持部６３２ｂ、及び下流側支持部６３２ｃにて、搬送基板支持部材６３２に固定されている。具体的には、電界搬送基板６３１は、最初に担持位置対向部６３１ｂを担持位置支持部６３２ｂにおける上述の平坦な部分に両面テープによって固定した後に、担持位置対向部６３１ｂと上流側端部６３１ａとの間及び担持位置対向部６３１ｂと下流側端部６３１ｃとの間にそれぞれ張力を付与しつつ、上流側端部６３１ａ及び下流側端部６３１ｃをそれぞれ上流側支持部６３２ａ及び下流側支持部６３２ｃに固定することによって、弛みが生じないように搬送基板支持部材６３２に支持されている。
【００６７】
搬送基板支持部材６３２の上部であって、主走査方向における両端部には、ガイド突起６３２ｄ（図４における（ｉ）参照）が、主走査方向に沿ってそれぞれ外側に突設されている。ガイド突起６３２ｄは、サイドフレーム６１２におけるガイド溝６１２ａ１によって案内されつつ、当該ガイド溝６１２ａ１の先端部と当接することで、トナー担持位置ＴＣＰにおける電界搬送基板６３１と現像ローラ６２との位置決め（担持位置対向部６３１ｂとトナー担持面ＴＣＳとの間の所定距離のギャップの設定）を行うように設けられている。
【００６８】
電界搬送基板６３１の表面の、主走査方向における両端部には、それぞれ、搬送範囲規制部材６３３が、トナー搬送方向ＴＴＤにおける電界搬送基板６３１の全体に亘って貼り付けられている。図７を参照すると、一対の搬送範囲規制部材６３３は、搬送電極６３１ｅの主走査方向における両端部をそれぞれ覆うことで、両者の間にトナー搬送領域ＴＴＡ（電界搬送基板６３１の主走査方向におけるトナーの搬送領域）を形成するように設けられている。
【００６９】
＜＜＜トナー回収部＞＞＞
図２及び図５を参照すると、回収ローラ６４は、主走査方向と平行な軸を中心として回転可能なローラ状部材（回転体）であって、現像ローラ６２の回転によるトナー担持面ＴＣＳの移動方向における現像位置ＤＰとトナー担持位置ＴＣＰとの間（現像位置ＤＰよりも下流側且つトナー担持位置ＴＣＰよりも上流側）のトナー回収位置ＴＲＰにて、現像ローラ６２と所定間隔のギャップを隔てて対向するように配置されている。すなわち、回収ローラ６４は、下流側収容部６１０ｂの上端部に対応する位置に設けられている。この回収ローラ６４は、現像ローラ６２との間に所定の回収バイアスが印加されることで、トナー回収位置ＴＲＰの近傍にてトナー担持面ＴＣＳ上からトナーを回収するようになっている。
【００７０】
回収ローラ６４は、その回転中心軸を構成する回収ローラシャフト６４１が回収ローラ端部シール６１３及び回収ローラ軸受６１４を挿通した状態で、回収ローラ軸受６１４が回収ローラ端部シール収容穴６１２ｄ３を塞ぐようにサイドフレーム６１２に装着されることで、サイドフレーム６１２によって回転可能に支持されている。本実施形態においては、回収ローラ６４は、そのトナー回収位置ＴＲＰにおける周面の移動方向を現像ローラ６２の回転によるトナー担持面ＴＣＳの移動方向と同一方向とするために、現像ローラ６２の回転方向と逆方向に回転駆動されるようになっている。
【００７１】
回収ローラ６４の下方には、剥離ブレード６５が、回収ローラ６４の回転による周面の移動方向におけるトナー回収位置ＴＲＰよりも下流側にて、当該周面と当接（摺動）するように配置されている。剥離ブレード６５は、ブレードホルダ６５１を介して、回収側フレーム６１１ｃに支持されている。この剥離ブレード６５は、回収ローラ６４によってトナー担持面ＴＣＳ上から回収されたトナーを、当該回収ローラ６４の周面から剥離して下流側収容部６１０ｂの底部に向けて落下させるように設けられている。
【００７２】
＜＜＜トナー攪拌循環部＞＞＞
トナー攪拌循環部６６は、上流側収容部６１０ａ及び下流側収容部６１０ｂの底部内に収容されたトナーを攪拌するとともに、両者の間でトナーを循環させるように、ケーシング６１の底部に設けられている。具体的には、トナー攪拌循環部６６は、起動側オーガ６６１と、回収側オーガ６６２と、を備えている。
【００７３】
起動側オーガ６６１は、周知の棒状のオーガスクリューであって、上流側収容部６１０ａの底部すなわち起動部６１０ａ１の主走査方向における全体に亘って設けられている。回収側オーガ６６２は、起動側オーガ６６１と同一形状のオーガスクリューであって、起動側オーガ６６１と平行に配置されている。起動側オーガ６６１及び回収側オーガ６６２は、連通部６１５によって回転可能に支持されている。また、起動側オーガ６６１と回収側オーガ６６２とは、互いに逆方向に回転するように、図示しないギヤを介して互いに連結されている。
【００７４】
＜＜＜トナーシール部材＞＞＞
図２〜図６を参照すると、ケーシング６１には、外部へのトナーの漏出を防止するために、上述の回収ローラ端部シール６１３の他に、サイドシール部材６７１と、供給側シールプレート６７２と、回収側シールプレート６７３と、が装着されている。
【００７５】
サイドシール部材６７１は、現像ローラ本体６２１（トナー担持面ＴＣＳ）の主走査方向における端部とケーシング６１との隙間を埋めることで、当該隙間からのトナーの外部への漏出を抑制するために、トナー担持面ＴＣＳの主走査方向における端部と摺動するように設けられている。このサイドシール部材６７１は、周知の通りの構成（例えば、発泡スポンジとフェルトとの積層構造）を有している。
【００７６】
サイドシール部材６７１は、サイドシール支持リブ６１２ｃにおけるリブ表面６１２ｃ１、担持位置支持部６３２ｂにおける搬送範囲規制部材６３３が設けられている部分、回収ローラ端部シール６１３、及び回収ローラ支持部６１２ｄにおけるサイドシール固定部６１２ｄ１に跨るように配置されている。具体的には、サイドシール部材６７１は、サイドシール支持リブ６１２ｃにおけるリブ表面６１２ｃ１、搬送範囲規制部材６３３、回収ローラ端部シール６１３、及び回収ローラ支持部６１２ｄにおけるサイドシール固定部６１２ｄ１に跨るように、両面テープによって接着されている。
【００７７】
図６及び図７を参照すると、サイドシール部材６７１は、搬送範囲規制部材６３３の主走査方向における内側の端縁（トナー搬送領域ＴＴＡを規定する端縁）よりも外側に設けられている。すなわち、本実施形態においては、サイドシール部材６７１は、電界搬送基板６３１の主走査方向におけるトナーを有効に搬送する領域であるトナー搬送領域ＴＴＡの外側に設けられている。
【００７８】
再び図２〜図６を参照すると、供給側フレーム６１１ｂの上端部における内壁面（トナー担持面ＴＣＳと対向する壁面）には、供給側シールプレート６７２が、両面テープによって貼り付けられている。同様に、回収側フレーム６１１ｃの上端部における内壁面（トナー担持面ＴＣＳと対向する壁面）には、回収側シールプレート６７３が、両面テープによって貼り付けられている。供給側シールプレート６７２及び回収側シールプレート６７３は、ＰＥＴ（ポリエチレンテレフタレート）等の合成樹脂からなる薄板状の部材であって、主走査方向に沿って、一対のサイドシール部材６７１の間に亘って設けられている。
【００７９】
＜レーザープリンタの動作説明＞
次に、上述のように構成されたレーザープリンタ１による動作の概要を、図面を適宜参照しつつ説明する。
【００８０】
＜＜給紙動作＞＞
まず図１を参照すると、図示しない前記給紙トレイ上に積載された用紙Ｐの先端が、レジストローラ２１まで送られる。このレジストローラ２１にて、用紙Ｐの斜行が補正されるとともに、搬送タイミングが調整される。その後、用紙Ｐは、転写位置ＴＰまで給送される。
【００８１】
＜＜潜像形成面上へのトナー像の担持＞＞
上述のように用紙Ｐが転写位置ＴＰに向けて搬送されている間に、感光体ドラム３の周面である静電潜像担持面ＬＳ上に、以下のようにしてトナーによる像が担持される。
【００８２】
＜＜＜静電潜像の形成＞＞＞
感光体ドラム３の静電潜像担持面ＬＳは、まず、帯電器４によって、正極性に一様に帯電される。帯電器４によって帯電された静電潜像担持面ＬＳは、感光体ドラム３の図中矢印で示されている方向の回転により、スキャナーユニット５と対向する（正対する）位置であるスキャン位置ＳＰまで、副走査方向に沿って移動する。
【００８３】
このスキャン位置ＳＰにて、画像情報に基づいて変調されたレーザービームＬＢによって静電潜像担持面ＬＳが露光される。すなわち、レーザービームＬＢが、主走査方向に沿って走査されつつ、静電潜像担持面ＬＳに照射される。このレーザービームＬＢの変調状態に応じて、静電潜像担持面ＬＳ上の正電荷が（実質的に）消失する部分が生じる。これにより、静電潜像担持面ＬＳ上に、正電荷あるいは電位のパターン（画像状分布）である静電潜像が形成される。静電潜像担持面ＬＳに形成された静電潜像は、感光体ドラム３の図中矢印で示されている方向の回転により、トナー供給装置６と対向する現像位置ＤＰに向かって移動する。
【００８４】
＜＜＜帯電トナーの搬送・供給＞＞＞
図２を参照すると、起動部６１０ａ１内に収容されているトナーは、電界搬送基板６３１の表面との接触や摩擦等により帯電する。帯電したトナーは、電界搬送基板６３１（図７における複数の搬送電極６３１ｅ）に対する多相交流電圧成分を含む搬送バイアスの印加によって発生する進行波状の電界により、トナー搬送方向ＴＴＤに搬送される。
【００８５】
起動部６１０ａ１から出発した直後のトナーには、帯電状態が不良なもの（逆極性すなわち負極性に帯電したものや、低帯電あるいは無帯電のもの、等。）が混入していることがある。もっとも、本実施形態の構成においては、電界搬送基板６３１によって起動部６１０ａ１からトナー担持位置ＴＣＰに向けて垂直上方に搬送されている際に、帯電状態が不良なトナーは、重力の作用により、垂直上方に向かうトナー搬送経路から逸脱し、下方に落下する。これにより、帯電状態が良好なトナーが選択的に、トナー担持位置ＴＣＰまで搬送される。
【００８６】
トナー担持位置ＴＣＰまで搬送されたトナーは、このトナー担持位置ＴＣＰの近傍にて、トナー担持面ＴＣＳ上に担持される。なお、トナー担持面ＴＣＳ上に担持されずにトナー担持位置ＴＣＰを通過したトナーは、電界搬送基板６３１によって、下流側収容部６１０ｂまで搬送される。
【００８７】
そして、トナーを担持したトナー担持面ＴＣＳが、現像ローラ６２の回転駆動によって現像位置ＤＰまで移動することで、トナーが現像位置ＤＰに供給される。この現像位置ＤＰの近傍にて、静電潜像担持面ＬＳに形成された静電潜像が、トナーによって現像される。すなわち、静電潜像担持面ＬＳ上であって、静電潜像における正電荷が消失した部分に、トナーがトナー担持面ＴＣＳから移行し付着する。これにより、トナーによる画像（以下、「トナー像」と称する。）が、静電潜像担持面ＬＳ上に担持される。
【００８８】
現像位置ＤＰを通過した（現像位置ＤＰにて消費されなかった）トナー担持面ＴＣＳ上のトナーは、現像ローラ６２の回転によって、トナー回収位置ＴＲＰ（の近傍）に達する。このトナー回収位置ＴＲＰの近傍にて、トナーは、回収ローラ６４によって回収される。
【００８９】
このとき、回収ローラ６４は、トナー担持面ＴＣＳと非接触の状態で、トナー担持面ＴＣＳ上からトナーを回収しつつ回転する。よって、回収ローラ６４の周面の、トナー回収位置ＴＲＰに面する部分は、回収ローラ６４の回転に伴い、トナー担持面ＴＣＳと摺動することなく移動する。そして、回収ローラ６４の周面に付着したトナーは、剥離ブレード６５によって除去され、下流側収容部６１０ｂの底部まで落下する。したがって、トナーの付着状態が軽減あるいは解消された状態の回収ローラ６４の周面が、トナー回収位置ＴＲＰに対して次々と供給される。また、回収ローラ６４とトナー担持面ＴＣＳとの接触や摺動によるトナー担持面ＴＣＳ上での不用意なトナーの残留状態（付着模様）の発生が、良好に抑制される。
【００９０】
ところで、トナー担持位置ＴＣＰ近傍に到達したトナーは、電界搬送基板６３１によってトナー担持位置ＴＣＰに達するまで電界搬送され得る程度の帯電量を有している。また、電界搬送基板６３１によってトナー担持位置ＴＣＰの近傍まで搬送されている間に、トナーは、電界搬送基板６３１の表面との衝突や摩擦によって、チャージアップする場合もある。
【００９１】
このため、トナー担持面ＴＣＳ上に担持されずにトナー担持位置ＴＣＰを通過したトナーや、一旦トナー担持面ＴＣＳ上に担持された後に回収ローラ６４によって回収されて剥離ブレード６５によって剥離されたトナー（以下、「トナー担持位置ＴＣＰを経たトナー」と称する。）は、比較的高い帯電量（電荷）を有している。このようなトナーをそのまま上流側収容部６１０ａ（起動部６１０ａ１）に戻した場合、起動部６１０ａ１内にて、電荷（静電気力）によるトナーの凝集が発生するおそれがある。
【００９２】
そこで、本実施形態の構成においては、トナー担持位置ＴＣＰを経たトナーは、上流側収容部６１０ａ（起動部６１０ａ１）に還流される前に、一旦下流側収容部６１０ｂにて収容される。そして、一旦下流側収容部６１０ｂにて収容されたトナーが、トナー攪拌循環部６６によって上流側収容部６１０ａに還流する。これにより、トナー担持位置ＴＣＰを経たトナーをそのまま直接的に上流側収容部６１０ａに戻すことによる、上流側収容部６１０ａ内におけるトナーの凝集の発生が、良好に防止され得る。
【００９３】
トナーの凝集が防止される理由については、本発明の発明者らによって鋭意検討中であるが、例えば、以下のように考えられる：トナー担持位置ＴＣＰを経た、比較的帯電量の高いトナーは、下流側収容部６１０ｂに収容されている間に、上流側収容部６１０ａ内にて凝集を引き起こさない程度に、電荷が減少（減衰）する。
【００９４】
このように、本実施形態の構成においては、トナー担持位置ＴＣＰを経たトナーをそのまま直接的に上流側収容部６１０ａに戻すことによる、上流側収容部６１０ａ内におけるトナーの凝集の発生が、良好に防止され得る。したがって、かかる構成によれば、帯電したトナーを安定的に供給することが可能になる。
【００９５】
＜＜潜像形成面から用紙へのトナー像の転写＞＞
図１を参照すると、上述のようにして感光体ドラム３の静電潜像担持面ＬＳ上に担持されたトナー像は、当該静電潜像担持面ＬＳが図中矢印で示されている方向に回転することにより、転写位置ＴＰに向けて搬送される。そして、この転写位置ＴＰにて、トナー像が、静電潜像担持面ＬＳから用紙Ｐ上に転写される。
【００９６】
＜トナー供給装置の組み立て工程の概要＞
次に、上述のような構成のトナー供給装置６を組み立てる（現像ローラ６２、搬送基板ユニット６３、回収ローラ６４、及びサイドシール部材６７１を、ケーシング６１に装着する）際の様子を、図面を適宜参照しつつ説明する。
【００９７】
図２及び図３を参照すると、本実施形態においては、最初に担持位置対向部６３１ｂが担持位置支持部６３２ｂにおける上述の平坦な部分と両面テープによって固定された後に、担持位置対向部６３１ｂと上流側端部６３１ａとの間及び担持位置対向部６３１ｂと下流側端部６３１ｃとの間にそれぞれ張力が付与されつつ、上流側端部６３１ａ及び下流側端部６３１ｃがそれぞれ上流側支持部６３２ａ及び下流側支持部６３２ｃに固定される。これにより、電界搬送基板６３１は、搬送基板支持部材６３２によって、弛みが生じないように良好に支持される。その後、電界搬送基板６３１の表面の、主走査方向における両端部に、それぞれ、搬送範囲規制部材６３３が、トナー搬送方向ＴＴＤにおける電界搬送基板６３１の全体に亘って貼り付けられる。
【００９８】
上述のようにして組み立てられた搬送基板ユニット６３は、図４における（ｉ）に示されているように、ガイド突起６３２ｄ側（図３における担持位置対向部６３１ｂ及び担持位置支持部６３２ｂ側）を先頭として、回収側フレーム６１１ｃと一対のサイドフレーム６１２とからなる一体的な基板ユニット収容フレーム内に挿入される。すると、ガイド突起６３２ｄが、サイドフレーム６１２におけるガイド溝６１２ａ１によって案内される。そして、ガイド突起６３２ｄがガイド溝６１２ａ１の先端部と当接するとともに、サイドフレーム６１２における基板ユニット当接突起６１２ａ２が搬送基板ユニット６３の主走査方向における両端部と当接することで、図４における（ii）に示されているように、搬送基板ユニット６３が上述の基板ユニット収容フレーム内に収容される。
【００９９】
図４における（ii）に示されているように、搬送基板ユニット６３が上述の基板ユニット収容フレーム内に収容された状態で、当該基板ユニット収容フレームに、供給側フレーム６１１ｂが装着される。このとき、供給側フレーム６１１ｂの内壁面の主走査方向における両端部に突設された一対の基板ユニット当接突起６１１ｂ１が、搬送基板ユニット６３の主走査方向における両端部と当接することで、搬送基板ユニット６３が基板ユニット当接突起６１２ａ２に向かって押しつけられる。
【０１００】
この状態で、図４における（iii）に示されているように、ボトムフレーム６１１ａが下側から上述の基板ユニット収容フレームに装着される。このとき、図２に示されているように、搬送基板支持部材６３２の下端部がボトムフレーム６１１ａの仕切突起６１１ａ１と当接するとともに係合溝６１１ａ２によって係止される。これにより、搬送基板ユニット６３は、ガイド突起６３２ｄ（図４における（ｉ）参照）がガイド溝６１２ａ１の先端部と確実に当接するように、上方に向けて押しつけられる。このようにして、搬送基板ユニット６３が、ケーシング６１に装着される。
【０１０１】
図５に示されているように、ケーシング６１における所定の位置（回収ローラ支持部６１２ｄに対応する位置）に回収ローラ６４が収容された状態で、回収ローラシャフト６４１に回収ローラ端部シール６１３及び回収ローラ軸受６１４を挿通させ、回収ローラ端部シール６１３を回収ローラ端部シール収容穴６１２ｄ３に収容させ、回収ローラ端部シール収容穴６１２ｄ３を外側から塞ぐように回収ローラ軸受６１４を回収ローラ支持部６１２ｄに装着することで、回収ローラ６４がケーシング６１に回転可能に装着される。
【０１０２】
図６における（ｉ）に示されているように、ケーシング６１に、搬送基板ユニット６３、回収ローラ６４、供給側シールプレート６７２、及び回収側シールプレート６７３が取り付けられた状態で、サイドシール支持リブ６１２ｃにおけるリブ表面６１２ｃ１、搬送範囲規制部材６３３、回収ローラ端部シール６１３、及び回収ローラ支持部６１２ｄにおけるサイドシール固定部６１２ｄ１に跨るように、サイドシール部材６７１が両面テープを介して貼り付けられる（図６における（ii）参照）。このとき、サイドシール部材６７１は、トナー搬送領域ＴＴＡ（図７参照）の外側に設けられる。その後、現像ローラ軸受６２３に現像ローラシャフト６２２を挿通させつつ、現像ローラ軸受６２３を現像ローラ支持穴６１２ｂに装着することで、現像ローラ６２がケーシング６１に回転可能に装着される。
【０１０３】
＜実施形態の構成による作用・効果＞
次に、上述のような、本実施形態のトナー供給装置６の構成による作用・効果を、図面を適宜参照しつつ説明する。
【０１０４】
以上のように、現像ローラ６２、搬送基板ユニット６３、回収ローラ６４、及びサイドシール部材６７１が、ケーシング６１に装着された状態において、トナー担持位置ＴＣＰにおける電界搬送基板６３１と現像ローラ６２との位置決め（担持位置対向部６３１ｂとトナー担持面ＴＣＳとの間の所定距離のギャップの設定）が、搬送基板ユニット６３に設けられたガイド突起６３２ｄと、サイドフレーム６１２に設けられたガイド溝６１２ａ１及び現像ローラ支持穴６１２ｂと、現像ローラ軸受６２３と、によって、良好に行われる。
【０１０５】
また、上述の状態において、サイドシール部材６７１が、サイドシール支持リブ６１２ｃにおけるリブ表面６１２ｃ１、担持位置支持部６３２ｂにおける搬送範囲規制部材６３３が設けられている部分、回収ローラ端部シール６１３、及び回収ローラ支持部６１２ｄにおけるサイドシール固定部６１２ｄ１に跨るように設けられる。このサイドシール部材６７１によって、現像ローラ本体６２１の主走査方向における端部におけるトナー担持面ＴＣＳとケーシング６１との隙間が埋められた状態で、サイドシール部材６７１は、トナー供給装置６の動作の際に、現像ローラ本体６２１の主走査方向における端部におけるトナー担持面ＴＣＳと摺動する。したがって、上述の隙間からの、トナーの外部への漏出が、良好に抑制される。
【０１０６】
本実施形態の構成においては、側面視にて現像ローラ本体６２１と同軸的に配置されたサイドシール支持リブ６１２ｃが、サイドフレーム６１２の内壁面から内側に突出するように設けられている。また、サイドシール支持リブ６１２ｃにおけるリブ表面６１２ｃ１、担持位置支持部６３２ｂにおける搬送範囲規制部材６３３が設けられている部分、回収ローラ端部シール６１３、及び回収ローラ支持部６１２ｄにおけるサイドシール固定部６１２ｄ１が、現像ローラ６２の回転によるトナー担持面ＴＣＳの移動方向に沿って配列される。さらに、回収ローラ支持部６１２ｄの、トナー担持面ＴＣＳと対向する表面であるサイドシール固定部６１２ｄ１が、側面視にて現像ローラ本体６２１と同軸的且つリブ表面６１２ｃ１と同一曲率半径の円弧状に形成されている。したがって、サイドシール部材６７１が、安定的且つ簡略に設置される。
【０１０７】
また、サイドシール部材６７１が、トナー搬送領域ＴＴＡ（電界搬送基板６３１の主走査方向におけるトナーを有効に搬送する領域）の外側に設けられることで、サイドシール部材６７１とトナー担持面ＴＣＳとの摺動部に対するトナーの流入量を可及的に少なくすることができる。よって、かかる構成によれば、上述の隙間からの、トナーの外部への漏出が、よりいっそう良好に抑制される。
【０１０８】
また、電界搬送基板６３１が、担持位置支持部６３２ｂに対向する担持位置対向部６３１ｂにて担持位置支持部６３２ｂに固定されるとともに、トナー搬送方向ＴＴＤにおける端部である上流側端部６３１ａ及び下流側端部６３１ｃとの間に張力が付与されるように、搬送基板支持部材６３２によって支持される。これにより、電界搬送基板６３１における弛みの発生が、良好に抑制される。
【０１０９】
＜変形例の例示列挙＞
なお、上述の実施形態は、出願人が取り敢えず本願の出願時点において最良であると考えた本発明の代表的な実施形態を、単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【０１１０】
以下、代表的な変形例について、幾つか例示する。以下の変形例の説明において、上述の実施形態にて説明されているものと同様の構成及び機能を有する部材に対しては、上述の実施形態と同様の符号が用いられ得るものとする。そして、かかる部材の説明については、技術的に矛盾しない範囲内において、上述の実施形態における説明が援用され得るものとする。
【０１１１】
もっとも、言うまでもなく、変形例とて、以下に列挙されたものに限定されるものではない。また、複数の変形例が、技術的に矛盾しない範囲内において、適宜、複合的に適用され得る。
【０１１２】
本発明（特に、本発明の課題を解決するための手段を構成する各構成要素における、作用的・機能的に表現されているもの）は、上述の実施形態及び下記変形例の記載に基づいて限定解釈されてはならない。このような限定解釈は、（特に先願主義の下で出願を急ぐ）出願人の利益を不当に害する反面、模倣者を不当に利するものであって、発明の保護及び利用を目的とする特許法の目的に反し、許されない。
【０１１３】
本発明の適用対象は、単色のレーザープリンタに限定されない。例えば、本発明は、カラーのレーザープリンタや、単色及びカラーの複写機等の、いわゆる電子写真方式の画像形成装置に対して、好適に適用され得る。このとき、感光体の形状は、上述の実施形態のようなドラム状でなくてもよい。例えば、平板状や無端ベルト状等であってもよい。
【０１１４】
露光光源としては、レーザースキャナ以外のもの（ＬＥＤ、ＥＬ（エレクトロルミネッセンス）素子、蛍光体、等）が好適に用いられ得る。この場合、「主走査方向」は、発光素子（ＬＥＤ等）の配列方向と平行な方向となる。すなわち、「主走査方向」は、「用紙幅方向（用紙搬送方向と常時直交する方向）」又は「装置幅方向」とも称され得る。
【０１１５】
あるいは、本発明は、上述の電子写真方式以外の方式（例えば、感光体を用いないトナージェット方式、イオンフロー方式、マルチスタイラス電極方式、等）の画像形成装置に対しても、好適に適用され得る。
【０１１６】
基板ユニット当接突起６１１ｂ１は、搬送範囲規制部材６３３と当接していてもよいし、電界搬送基板６３１と当接していてもよいし、搬送基板支持部材６３２と当接していてもよい。すなわち、搬送基板ユニット６３の主走査方向における両端部の外壁面であって、基板ユニット当接突起６１１ｂ１と当接する位置には、電界搬送基板６３１及び／又は搬送範囲規制部材６３３が設けられていない部分が形成されていてもよい。
【０１１７】
図８は、図２に示されているトナー供給装置６の一変形例の概略構成を示す分解側面図（一部断面図）である。図８を参照すると、サイドシール支持リブ６１２ｃにおけるリブ表面６１２ｃ１、担持位置支持部６３２ｂ、及び回収ローラ支持部６１２ｄにおけるサイドシール固定部６１２ｄ１が、現像ローラ６２の回転中心軸線から等距離になるように設けられ得る。
【０１１８】
かかる構成においては、サイドシール支持リブ６１２ｃとトナー担持面ＴＣＳとのギャップ、搬送範囲規制部材６３３とトナー担持面ＴＣＳとのギャップ、回収ローラ端部シール６１３とトナー担持面ＴＣＳとのギャップ、及び回収ローラ支持部６１２ｄにおけるサイドシール固定部６１２ｄ１とトナー担持面ＴＣＳとのギャップが、すべてほぼ等しくなる（いわゆる「面一」状態）。これにより、サイドシール部材６７１が、円柱面状のトナー担持面ＴＣＳに沿った、側断面視にて滑らかな形状にて支持される。したがって、サイドシール部材６７１がより安定的に設置されるとともに、サイドシール部材６７１とトナー担持面ＴＣＳとの摺動部における密着性が、よりいっそう向上する。
【０１１９】
回収ローラ支持部６１２ｄは、サイドフレーム６１２の一部分ではなく、回収側フレーム６１１ｃの一部分とみなすこともできる。また、サイドフレーム６１２における回収ローラ支持部６１２ｄ及び／又は連通部６１５は、省略され得る。すなわち、サイドフレーム６１２は、完全な平板部材として形成され得る。
【０１２０】
図９は、図２に示されているトナー供給装置６の他の変形例の概略構成を示す分解斜視図（上述の実施形態における図６に相当する図）である。図９に示されているように、担持位置対向部６３１ｂの主走査方向における両端部には、ギャップ規定突起６３２１が、現像ローラシャフト６２２に向かって突設されている。このギャップ規定突起６３２１は、サイドシール部材６７１に設けられた切欠部６７１１を貫通しつつ、現像ローラ軸受６２３と当接することで、トナー担持位置ＴＣＰにおける電界搬送基板６３１と現像ローラ６２との位置決め（担持位置対向部６３１ｂとトナー担持面ＴＣＳとの間の所定距離のギャップの設定）を行うように設けられている。
【０１２１】
かかる構成によれば、上述の位置決めが、簡易且つ確実に行われ得る。なお、この場合、サイドフレーム６１２におけるガイド溝６１２ａ１及び搬送基板支持部材６３２におけるガイド突起６３２ｄは、省略される。
【０１２２】
ボトムフレーム６１１ａ、供給側フレーム６１１ｂ、及び回収側フレーム６１１ｃからなる、側断面視にて略Ｕ字状のケーシング本体６１１は、継ぎ目なく一体に形成され得る。あるいは、供給側フレーム６１１ｂ、回収側フレーム６１１ｃ、及び一対のサイドフレーム６１２からなる、筒状の基板ユニット収容フレームは、継ぎ目なく一体に形成され得る。これらの場合、ガイド溝６１２ａ１は、現像ローラ支持穴６１２ｂから下方に向けて延出するように設けられ得る。そして、上述の図９を用いて説明したような構成が採用され得る。その他、ケーシング６１の構成については、本発明の本質的部分を損なわない範囲において、特段の限定はない。
【０１２３】
現像ローラ６２は、現像位置ＤＰにてトナー担持面ＴＣＳと静電潜像担持面ＬＳとの間に所定間隔のギャップが形成されるように配置されていてもよい。あるいは、現像ローラ６２は、現像位置ＤＰにてトナー担持面ＴＣＳと静電潜像担持面ＬＳとが接触するように配置されていてもよい。さらに、現像ローラ６２は、スリーブ状のものに代替可能である。すなわち、現像ローラ６２は、円筒形状のスリーブと、このスリーブ内に収容されたゴムあるいはスポンジからなるローラ状部材と、から構成され得る。
【０１２４】
トナー担持位置ＴＣＰにおけるトナーの担持効率が良好であって、トナー担持位置ＴＣＰを通過して電界搬送基板６３１上を下流側収容部６１０ｂに向けて搬送されるトナーがほとんどないと想定される場合、電界搬送基板６３１の下流側収容部６１０ｂに面する平板状の部分においては、搬送電極６３１ｅは、省略され得る。あるいは、かかる部分そのものが省略され得る。
【０１２５】
トナー担持面ＴＣＳからのトナー回収手段は、上述の実施形態にて開示されたものに限定されない。例えば、回収ローラ６４からトナーを剥離させるための剥離部材としては、剥離ブレード６５に代えて、ブラシローラが用いられ得る。さらには、回収ローラ６４に代えて、ブラシローラや、剥離ブレード６５と同様のブレード部材が用いられ得る。
【０１２６】
あるいは、電界搬送基板６３１を、トナー担持位置ＴＣＰよりも上流側の部分と、トナー担持位置ＴＣＰよりも下流側の部分とに二分して、それぞれに異なる直流バイアスを印加する構成も、好適に採用され得る。この場合、回収ローラ６４が電界搬送基板６３１におけるトナー担持位置ＴＣＰよりも下流側の部分と所定のギャップを隔てて近接対向するように配置されることで、電界搬送基板６３１におけるトナー担持位置ＴＣＰよりも下流側の部分によって、回収ローラ６４からトナーが回収される。あるいは、回収ローラ６４が省略され、電界搬送基板６３１におけるトナー担持位置ＴＣＰよりも下流側の部分によって、トナー担持面ＴＣＳからのトナー回収が行われ得る。
【０１２７】
サイドシール部材６７１の主走査方向における内側の端縁が、トナー搬送領域ＴＴＡの主走査方向における外側の端縁と一致するように、サイドシール部材６７１が設けられていてもよい。すなわち、搬送範囲規制部材６３３の主走査方向における内側の端縁と、サイドシール部材６７１の主走査方向における内側の端縁とが、一致するように、搬送範囲規制部材６３３及びサイドシール部材６７１が構成及び配置されていてもよい。
【０１２８】
搬送範囲規制部材６３３は、省略され得る。この場合、サイドシール部材６７１は、電界搬送基板６３１又は搬送基板支持部材６３２に直接的に当接あるいは接着され得る。
【０１２９】
本発明は、トナー担持位置ＴＣＰ（の近傍）に向けてのトナーの搬送方向が垂直上方である態様に何ら限定されない。例えば、電界搬送基板６３１は、トナー担持位置ＴＣＰ（の近傍）に向けてトナーを搬送する上流側部分（上流側端部６３１ａと担持位置対向部６３１ｂとの間の平板状の部分）における、トナーを搬送する表面（トナー搬送面）が下方を向くように設けられ得る。
【０１３０】
かかる構成は、例えば、図２に示されている構成を時計回りに１０〜９０度回転させるとともに、電界搬送基板６３１における上流側端部６３１ａを起動部６１０ａ１における最低部に設けること等により実現可能である（この場合、ケーシング６１やトナー攪拌循環部６６等の各部の構成も、図２に示されている構成から適宜変更される。）。
【０１３１】
その他、特段に言及されていない変形例についても、本発明の本質的部分を変更しない範囲内において、本発明の技術的範囲に含まれることは当然である。
【０１３２】
また、本発明の課題を解決するための手段を構成する各要素における、作用・機能的に表現されている要素は、上述の実施形態や変形例にて開示されている具体的構造の他、当該作用・機能を実現可能ないかなる構造をも含む。さらに、本明細書にて引用した各公報の内容（明細書及び図面を含む）は、本明細書の一部を構成するものとして援用され得る。
【符号の説明】
【０１３３】
１…レーザープリンタ                ２…用紙搬送機構
３…感光体ドラム                    ６…トナー供給装置
６１…ケーシング                    ６１０ａ…上流側収容部
６１０ａ１…起動部                  ６１０ｂ…下流側収容部
６１１…本体フレーム                ６１１ａ…ボトムフレーム
６１１ｂ…供給側フレーム            ６１１ｃ…回収側フレーム
６１２…サイドフレーム              ６１２ａ１…ガイド溝
６１２ｂ…現像ローラ支持穴          ６１２ｃ…サイドシール支持リブ
６１２ｃ１…リブ表面                ６１２ｄ…回収ローラ支持部
６１２ｄ１…サイドシール固定部      ６１３…回収ローラ端部シール
６１４…回収ローラ軸受              ６１５…連通部
６２…現像ローラ                    ６２１…現像ローラ本体
６２２…現像ローラシャフト          ６２３…現像ローラ軸受
６３…搬送基板ユニット              ６３１…電界搬送基板
６３１ａ…上流側端部                ６３１ｂ…担持位置対向部
６３１ｃ…下流側端部                ６３１ｅ…搬送電極
６３２…搬送基板支持部材            ６３２ａ…上流側支持部
６３２ｂ…担持位置支持部            ６３２ｃ…下流側支持部
６３２ｄ…ガイド突起                ６３２１…ギャップ規定突起
６３３…搬送範囲規制部材            ６４…回収ローラ
６５…剥離ブレード                  ６６…トナー攪拌循環部
６６１…起動側オーガ                ６６２…回収側オーガ
６７１…サイドシール部材            ６７１１…切欠部
６７２…供給側シールプレート        ６７３…回収側シールプレート
ＤＰ…現像位置                      ＬＳ…静電潜像担持面
ＴＣＰ…トナー担持位置              ＴＣＳ…トナー担持面
ＴＴＡ…トナー搬送領域              ＴＴＤ…トナー搬送方向
【先行技術文献】
【特許文献】
【０１３４】
【特許文献１】特開２００８−７０８０３号公報
【図１】
0005375754.tif 000002
【図２】
0005375754.tif 000003
【図３】
0005375754.tif 000004
【図４】
0005375754.tif 000005
【図５】
0005375754.tif 000006
【図６】
0005375754.tif 000007
【図７】
0005375754.tif 000008
【図８】
0005375754.tif 000009
【図９】
0005375754.tif 000010